【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
ユーザが所望するデータの書込処理を行なう書込処理サーバからの指示に基づいて前記データが書込まれる記憶手段を備えた携帯端末と、該携帯端末に対して前記データを発行する発行処理サーバとを備えたデータ発行システムであって、
前記携帯端末は、
前記データの発行を要求するための発行操作をユーザから受付ける発行操作受付手段と、
前記発行操作受付手段によって発行操作が受付けられたことを条件として、前記データの発行を要求するための発行要求情報を前記発行処理サーバに送信するために出力する発行要求出力手段とを備え、
前記発行処理サーバは、
前記携帯端末に対して発行すべきデータが発行済か否かを示す発行状況を管理する発行状況管理手段と、
前記発行要求出力手段から送信されてきた前記発行要求情報に対応するデータの前記発行状況管理手段によって管理されている発行状況が、未発行であることを条件として、当該データを、当該発行要求情報の送信元の携帯端末である要求元携帯端末に送信するために出力するデータ出力手段と、
該データ出力手段によって前記データが出力されたことを条件として、当該データの前記発行状況管理手段によって管理されている発行状況を、発行済に更新する発行状況更新手段とを備え、
前記携帯端末は、さらに、
前記データの処理状況を管理する処理状況管理手段と、
前記データ出力手段から送信されてきた前記データを受信したことを条件として、当該データの前記処理状況管理手段によって管理されている処理状況を、データ受信済に更新する処理状況更新手段と、
前記データ出力手段から送信されてきた前記データを受信したことを条件として、当該データの前記記憶手段への書込みを要求する書込要求情報を、前記書込処理サーバに送信するために出力する書込要求出力手段と、
前記書込処理サーバから前記データの前記記憶手段への書込みを指示する書込指示情報を受信したことを条件として、前記データを前記記憶手段に書込むデータ書込実行手段とを備え、
前記処理状況更新手段は、前記データ書込実行手段によって前記データが書込まれたことを条件として、当該データの前記処理状況管理手段によって管理されている処理状況を、データ書込済に更新し、
前記携帯端末は、さらに、
前記発行操作受付手段によって発行操作が受付けられたときに、前記処理状況管理手段によって管理されている処理状況がデータ受信済であることを条件として、前記発行要求出力手段による前記発行要求情報の出力を実行することなく、前記書込要求出力手段による前記書込要求情報の前記書込処理サーバへの出力を実行する要求出力実行制御手段を備えることを特徴とする、データ発行システム。
【請求項２】
前記発行処理サーバは、さらに、
前記データが携帯端末に対して発行可能となったことを条件として、前記発行要求情報を出力するために操作されるリンク情報が添付された電子メールを、前記携帯端末に送信するために出力する電子メール出力手段を備え、
前記発行要求出力手段は、前記電子メールに添付されたリンク情報が操作されたことに基づいて、前記発行要求情報を出力することを特徴とする、請求項１に記載のデータ発行システム。
【請求項３】
前記携帯端末は、さらに、
前記データとしての電子マネー情報のチャージを要求するためのチャージ要求情報を前記発行処理サーバに送信するために出力するチャージ要求出力手段を備え、
前記発行処理サーバは、さらに、
前記チャージ要求出力手段から送信されてきた前記チャージ要求情報を受信したことを条件として、当該チャージ要求情報を受付けた旨を示すチャージ受付情報を、当該チャージ要求情報送信元の携帯端末に送信するために出力するチャージ受付情報出力手段と、
前記電子マネー情報の決済のための決済用処理が終了したことを条件として、当該電子マネー情報の前記発行状況管理手段によって管理される発行状況を未発行として登録する発行状況登録手段とを備え、
前記発行要求出力手段は、前記チャージ受付情報出力手段から送信されてきた前記チャージ受付情報を受信したことを条件として、前記発行要求情報を送信し、
前記発行処理サーバは、さらに、
前記チャージ要求出力手段から送信されてきた前記チャージ要求情報を受信したことを条件として、未発行であることを示す発行状況が当該チャージ要求情報送信元の携帯端末に対して前記発行状況管理手段によって管理されているか否かを判定する登録判定手段を備え、
前記チャージ受付情報出力手段は、前記登録判定手段によって未発行であることを示す発行状況が管理されていると判定されたことを条件として、前記チャージ受付情報を出力しないことを特徴とする、請求項１または請求項２に記載のデータ発行システム。
【請求項４】
前記書込処理サーバは、複数のサービス提供機関により使用が可能とされた前記記憶手段に各サービス提供機関が提供するサービスに応じてサービス提供用領域の構築および削除のための処理を行なうとともに、該サービス提供用領域の構築に応じた対価を請求するために各サービス提供機関ごとに課金管理を行ない、
前記発行処理サーバは、前記書込処理サーバを運営するサービス提供用領域管理機関に登録しているサービス提供機関であり、提供サービスとして電子マネーサービスを提供する電子マネーサービス提供機関に設けられ、
前記携帯端末は、さらに、
前記電子マネーサービスを享受できるようにするための登録を要求する登録要求情報を前記発行処理サーバに送信するために出力する登録要求出力手段を備え、
前記発行処理サーバは、さらに、
前記登録要求出力手段から送信されてきた前記登録要求情報を受信したことを条件として、前記データとしての電子マネー情報を記憶するための前記サービス提供用領域である電子マネーサービス提供用領域を前記携帯端末の前記記憶手段に構築するための領域構築情報を当該携帯端末に送信するために出力する領域構築情報出力手段とを備え、
前記携帯端末は、さらに、
前記領域構築情報出力手段から送信されてきた前記領域構築情報を受信したことを条件として、前記領域構築情報で示される電子マネーサービス提供用領域の構築要求を前記書込処理サーバに送信するために出力する構築要求出力手段と、
該構築要求出力手段によって出力された構築要求に応じて前記書込処理サーバによって前記記憶手段に前記電子マネーサービス提供用領域が構築されたことを条件として、前記電子マネー情報のチャージを要求するためのチャージ要求情報を前記発行処理サーバに送信するために出力するチャージ要求出力手段とを備え、
前記発行処理サーバは、
前記チャージ要求出力手段から前記チャージ要求情報が送信されてきたのが、前記領域構築情報出力手段によって前記領域構築情報が当該チャージ要求情報送信元の携帯端末に出力されてから初回であるか否かを判定する初回チャージ要求判定手段を備え、
前記データ出力手段は、
前記初回チャージ要求判定手段によって初回でないと判定されたときは、前記チャージ要求出力手段から送信されてきた前記チャージ要求情報に対応する前記電子マネー情報のチャージに関するチャージ対価の決済のための決済用処理の終了を条件として、前記電子マネー情報を出力し、
前記初回チャージ要求判定手段によって初回であると判定されたときは、前記チャージ対価と、前記領域構築情報出力手段によって出力された前記領域構築情報に対応する前記電子マネーサービス提供用領域に関する領域構築対価との合計額の決済のための決済用処理の終了を条件として、前記電子マネー情報を出力し、
前記発行処理サーバは、さらに、
前記領域構築情報出力手段によって出力された前記領域構築情報に対応する前記電子マネーサービス提供用領域の構築回数を少なくとも前記領域構築対価が未決済の携帯端末について管理する構築回数管理手段と、
前記登録要求出力手段から送信されてきた前記登録要求情報を受信したときに、前記構築回数管理手段によって管理されている当該登録要求情報送信元の携帯端末の前記構築回数が所定回数に達していることを条件として、前記領域構築情報出力手段による当該携帯端末への前記領域構築情報の出力を禁止する領域構築情報出力禁止手段とを備えることを特徴とする、請求項１または請求項２に記載のデータ発行システム。
【請求項５】
前記携帯端末は、
前記データの削除を要求するための削除操作をユーザから受付ける削除操作受付手段と、
前記削除操作受付手段によって削除操作が受付けられたことを条件として、前記データの削除を要求するための削除要求情報を前記発行処理サーバに送信するために出力する削除要求出力手段とを備え、
前記発行処理サーバは、
前記データを削除するための削除用処理が実行済か否かを示す削除状況を管理する削除状況管理手段と、
前記削除要求出力手段から送信されてきた前記削除要求情報を受信したときに、前記削除状況管理手段によって管理されている削除状況が未実行であることを条件として、当該削除要求情報に応答するための削除応答情報を、当該削除要求情報送信元の携帯端末に送信するために出力する削除応答情報出力手段と、
該削除応答情報出力手段によって前記削除応答情報が出力されたことを条件として、前記削除状況管理手段によって管理されている前記削除状況を、実行済に更新する削除状況更新手段とを備え、
前記携帯端末は、さらに、
前記削除応答情報出力手段から送信されてきた前記削除応答情報を受信したことを条件として、前記処理状況管理手段によって管理されている前記処理状況を、削除応答情報受信済に更新する処理状況更新手段と、
前記削除応答情報出力手段から送信されてきた前記削除応答情報を受信したことを条件として、前記データの前記記憶手段からの削除を要求する削除開始要求情報を、前記書込処理サーバに送信するために出力する削除開始要求出力手段と、
前記書込処理サーバから前記データの前記記憶手段からの削除を指示する削除実行情報を受信したことを条件として、前記データを前記記憶手段から削除するデータ削除実行手段とを備え、
前記処理状況更新手段は、前記データ削除実行手段によって前記データが削除されたことを条件として、前記処理状況管理手段によって管理されている前記処理状況を、データ削除済に更新し、
前記携帯端末は、さらに、
前記削除操作受付手段によって削除操作が受付けられたときに、前記処理状況管理手段によって管理されている前記処理状況が前記削除応答情報受信済であることを条件として、前記削除要求出力手段による前記削除要求情報の出力を実行することなく、前記削除開始要求出力手段による前記削除開始要求情報の前記書込処理サーバへの出力を実行する削除要求出力実行制御手段を備えることを特徴とする、請求項１から請求項４までのいずれかに記載のデータ発行システム。
【請求項６】
ユーザが所望するデータが書込まれる記憶手段と、
前記データの発行を要求するための発行操作をユーザから受付ける発行操作受付手段と、
前記発行操作受付手段によって発行操作が受付けられたことを条件として、前記データの発行を要求するための発行要求情報を、前記データを発行する発行処理サーバに送信するために出力する発行要求出力手段と、
前記データの処理状況を管理する処理状況管理手段と、
前記発行処理サーバにて管理されている発行状況が未発行のデータを該発行処理サーバから受信したことを条件として、当該データの前記処理状況管理手段によって管理されている処理状況を、データ受信済に更新する処理状況更新手段と、
前記発行処理サーバから送信されてきた前記データを受信したことを条件として、当該データの前記記憶手段への書込みを要求する書込要求情報を、ユーザが所望するデータの書込処理を行なう書込処理サーバに送信するために出力する書込要求出力手段と、
前記書込処理サーバから前記データの前記記憶手段への書込みを指示する書込指示情報を受信したことを条件として、前記データを前記記憶手段に書込むデータ書込実行手段とを備え、
前記処理状況更新手段は、前記データ書込実行手段によって前記データが書込まれたことを条件として、当該データの前記処理状況管理手段によって管理されている処理状況を、データ書込済に更新し、
前記発行操作受付手段によって発行操作が受付けられたときに、前記処理状況管理手段によって管理されている処理状況がデータ受信済であることを条件として、前記発行要求出力手段による前記発行要求情報の出力を実行することなく、前記書込要求出力手段による前記書込要求情報の前記書込処理サーバへの出力を実行する要求出力実行制御手段を備えることを特徴とする、携帯端末。
【請求項７】
ユーザが所望するデータが書込まれる記憶手段を備えた携帯端末で実行されるアプリケーションプログラムであって、
前記データの発行を要求するための発行操作をユーザから受付けるステップと、
発行操作が受付けられたことを条件として、前記データの発行を要求するための発行要求情報を、前記携帯端末に対して前記データを発行する発行処理サーバに送信するために出力するステップと、
前記発行処理サーバにて管理されている発行状況が未発行のデータを該発行処理サーバから受信したことを条件として、該携帯端末にて管理されている当該データの処理状況を、データ受信済に更新するステップと、
前記発行処理サーバから送信されてきた前記データを受信したことを条件として、当該データの前記記憶手段への書込みを要求する書込要求情報を、ユーザが所望するデータの書込処理を行なう書込処理サーバに送信するために出力するステップと、
前記書込処理サーバからの指示に応じて前記記憶手段に前記データが書込まれたことを条件として、当該データの処理状況を、データ書込済に更新するステップと、
前記発行操作が受付けられたときに、管理されている処理状況がデータ受信済であることを条件として、前記発行要求情報の出力を実行することなく、前記書込要求情報の前記書込処理サーバへの出力を実行するステップとを実行させることを特徴とする、アプリケーションプログラム。
【手続補正２】
【補正対象書類名】明細書
【補正対象項目名】００１２
【補正方法】変更
【補正の内容】
【００１２】
（４）  前記書込処理サーバは、複数のサービス提供機関により使用が可能とされた前記記憶手段に各サービス提供機関が提供するサービスに応じてサービス提供用領域の構築および削除のための処理を行なうとともに、該サービス提供用領域の構築に応じた対価を請求するために各サービス提供機関ごとに課金管理を行ない、
前記発行処理サーバは、前記書込処理サーバを運営するサービス提供用領域管理機関に登録しているサービス提供機関であり、提供サービスとして電子マネーサービスを提供する電子マネーサービス提供機関（たとえば、電子マネー遊技使用サービスの提供業者）に設けられ、
前記携帯端末は、さらに、
前記電子マネーサービスを享受できるようにするための登録（たとえば、初期登録）を要求する登録要求情報（たとえば、機種情報を含む登録要求情報、空メール、携帯端末情報等）を前記発行処理サーバに送信するために出力する登録要求出力手段（たとえば、携帯電話１００のウェブブラウザ機能によるウェブ処理、ステップＳ１０２，Ｓ１０４，Ｓ１０６，Ｓ１０８）を備え、
前記発行処理サーバは、さらに、
前記登録要求出力手段から送信されてきた前記登録要求情報を受信したこと（たとえば、ステップＳ２０３，Ｓ２０７，Ｓ２１０，Ｓ２１４においてＹＥＳの場合）を条件として、前記データとしての電子マネー情報を記憶するための前記サービス提供用領域である電子マネーサービス提供用領域（たとえば、電子マネー遊技使用サービス用の記憶領域）を前記携帯端末の前記記憶手段に構築するための領域構築情報（たとえば、領域確保情報）を当該携帯端末に送信するために出力する領域構築情報出力手段（たとえば、ステップＳ２３６）とを備え、
前記携帯端末は、さらに、
前記領域構築情報出力手段から送信されてきた前記領域構築情報を受信したこと（たとえば、ステップＳ１２２においてＹＥＳの場合）を条件として、前記領域構築情報で示される電子マネーサービス提供用領域の構築要求（たとえば、領域確保処理開始要求）を前記書込処理サーバに送信するために出力する構築要求出力手段（たとえば、ステップＳ１２３）と、
該構築要求出力手段によって出力された構築要求に応じて前記書込処理サーバによって前記記憶手段に前記電子マネーサービス提供用領域が構築されたこと（たとえば、ステップＳ１２６においてＹＥＳの場合）を条件として、前記電子マネー情報のチャージを要求するためのチャージ要求情報（たとえば、チャージ要求情報）を前記発行処理サーバに送信するために出力するチャージ要求出力手段（たとえば、ステップＳ１３３）とを備え、
前記発行処理サーバは、
前記チャージ要求出力手段から前記チャージ要求情報が送信されてきたのが、前記領域構築情報出力手段によって前記領域構築情報が当該チャージ要求情報送信元の携帯端末に出力されてから初回であるか否かを判定する初回チャージ要求判定手段（たとえば、ステップＳ２５８）を備え、
前記データ出力手段は、
前記初回チャージ要求判定手段によって初回でないと判定されたとき（たとえば、ステップＳ２５８においてＮＯの場合）は、前記チャージ要求出力手段から送信されてきた前記チャージ要求情報に対応する前記電子マネー情報のチャージに関するチャージ対価（たとえば、ステップＳ２６０で算出されるチャージ手数料）の決済のための決済用処理の終了（たとえば、ステップＳ２６９においてＹＥＳの場合）を条件として、前記電子マネー情報を出力し、
前記初回チャージ要求判定手段によって初回であると判定されたとき（たとえば、ステップＳ２５８においてＹＥＳの場合）は、前記チャージ対価と、前記領域構築情報出力手段によって出力された前記領域構築情報に対応する前記電子マネーサービス提供用領域に関する領域構築対価（たとえば、ステップＳ２５９で算出される初期登録手数料）との合計額（たとえば、ステップＳ２５９で算出される初期登録手数料とチャージ手数料との合計額）の決済のための決済用処理の終了（たとえば、ステップＳ２６９においてＹＥＳの場合）を条件として、前記電子マネー情報を出力し、
前記発行処理サーバは、さらに、
前記領域構築情報出力手段によって出力された前記領域構築情報に対応する前記電子マネーサービス提供用領域の構築回数（たとえば、未チャージ削除カウンタのカウント値）を少なくとも前記領域構築対価が未決済の携帯端末について管理する構築回数管理手段（たとえば、ステップＳ２３５，Ｓ２７０３）と、
前記登録要求出力手段から送信されてきた前記登録要求情報を受信したときに、前記構築回数管理手段によって管理されている当該登録要求情報送信元の携帯端末の前記構築回数が所定回数（たとえば、３回）に達していること（たとえば、ステップＳ２１６においてＹＥＳの場合）を条件として、前記領域構築情報出力手段による当該携帯端末への前記領域構築情報の出力を禁止する領域構築情報出力禁止手段（たとえば、ステップＳ２１８において携帯端末情報が登録されず、ステップＳ２３３において仮登録された携帯端末情報でないと判断されるので、ステップＳ２３６において領域確保情報が送信されない）とを備える。
【手続補正３】
【補正対象書類名】明細書
【補正対象項目名】００１５
【補正方法】変更
【補正の内容】
【００１５】
（５）  前記携帯端末は、
前記データの削除を要求するための削除操作をユーザから受付ける削除操作受付手段（たとえば、ステップＳ１９５）と、
前記削除操作受付手段によって削除操作が受付けられたこと（たとえば、ステップＳ１９５においてＹＥＳの場合）を条件として、前記データの削除を要求するための削除要求情報（たとえば、残高移行依頼情報）を前記発行処理サーバに送信するために出力する削除要求出力手段（たとえば、ステップＳ１６０２）とを備え、
前記発行処理サーバは、
前記データを削除するための削除用処理が実行済（たとえば、削除応答済）か否かを示す削除状況を管理する削除状況管理手段（たとえば、記憶部２２０）と、
前記削除要求出力手段から送信されてきた前記削除要求情報を受信したときに、前記削除状況管理手段によって管理されている削除状況が未実行であること（たとえば、Ｓ２０６４ａにおいてＮＯの場合）を条件として、当該削除要求情報に応答するための削除応答情報（たとえば、残高移行応答情報）を、当該削除要求情報送信元の携帯端末に送信するために出力する削除応答情報出力手段（たとえば、ステップＳ２０６６）と、
該削除応答情報出力手段によって前記削除応答情報が出力されたこと（たとえば、ステップＳ２０６７においてＹＥＳの場合）を条件として、前記削除状況管理手段によって管理されている前記削除状況を、実行済に更新する削除状況更新手段（たとえば、ステップＳ２０６８）とを備え、
前記携帯端末は、さらに、
前記削除応答情報出力手段から送信されてきた前記削除応答情報を受信したこと（たとえば、ステップＳ１６０３においてＹＥＳの場合）を条件として、前記処理状況管理手段によって管理されている前記処理状況を、削除応答情報受信済（たとえば、残高移行応答受信済）に更新する処理状況更新手段（たとえば、ステップＳ１６０７ａ）と、
前記削除応答情報出力手段から送信されてきた前記削除応答情報を受信したこと（たとえば、ステップＳ１６０３においてＹＥＳの場合）を条件として、前記データの前記記憶手段からの削除を要求する削除開始要求情報（たとえば、領域削除処理開始要求）を、前記書込処理サーバに送信するために出力する削除開始要求出力手段（たとえば、ステップＳ１６１１）と、
前記書込処理サーバから前記データの前記記憶手段からの削除を指示する削除実行情報を受信したこと（たとえば、ステップＳ１６１２においてＹＥＳの場合）を条件として、前記データを前記記憶手段から削除するデータ削除実行手段（たとえば、ステップＳ１６１３）とを備え、
前記処理状況更新手段は、前記データ削除実行手段によって前記データが削除されたこと（たとえば、ステップＳ１６１４においてＹＥＳの場合）を条件として、前記処理状況管理手段によって管理されている前記処理状況を、データ削除済（たとえば、削除済）に更新し（たとえば、ステップＳ１６１４ａ）、
前記携帯端末は、さらに、
前記削除操作受付手段によって削除操作が受付けられたときに、前記処理状況管理手段によって管理されている前記処理状況が前記削除応答情報受信済であること（たとえば、ステップＳ１６００においてＹＥＳの場合）を条件として、前記削除要求出力手段による前記削除要求情報の出力を実行することなく（たとえば、ステップＳ１６０２において残高移行依頼情報を送信することなく）、前記削除開始要求出力手段による前記削除開始要求情報の前記書込処理サーバへの出力を実行する削除要求出力実行制御手段（たとえば、ステップＳ１６１１）を備える。